【手続補正書】
【提出日】平成19年2月20日(2007.2.20)
【手続補正１】
【補正対象書類名】明細書
【補正対象項目名】特許請求の範囲
【補正方法】変更
【補正の内容】
【特許請求の範囲】
【請求項１】  呼吸装置を人体の頭部における呼吸孔を覆って位置決めするための装置（１０）であって、前記人体の頭部は後頭葉と対称軸とを有し、前記装置は、
人体の後頭葉を中心として人体の頭部に対して嵌るよう適合される後頭固定部（１２）と、
人体の頭部の額部分の後方の、人体の頭部の頂部部分に位置する前方固定位置で、人体の頭部の対応する部分に対して嵌るよう適合される前方固定部（１８）と、
前記前方固定部と前記後頭固定部とを接続する付勢構造（２４）とを含み、前記付勢構造は、装置が人体の頭部に装着されるよう、後頭固定部を後頭部の下で人体の頭部に対して付勢させ、かつ前方固定部を人体の頭部の対応部分に対して付勢させ、前記後頭固定部、前記前方固定部、および前記付勢構造は、実質的に人体の頭部の対称軸に沿って位置合わせされるよう適合され、さらに、
前記器具が前記孔を覆って位置決めされるよう前記器具を搭載するために前記付勢構造に接続される搭載部材（３２）を含む、装置。
【請求項２】  前記搭載部材（３２）は、人体の鼻、人体の口またはそれらの組合せからなる群から選択される少なくとも１つの顔面部位に存在する孔を覆う呼吸マスクの形での器具を搭載するよう適合される、請求項１に記載の装置。
【請求項３】  前記装置（１０）は、前記後頭固定部（１２）、前記前方固定部（１８）、前記付勢構造（２４）、および前記搭載部材（３２）から本質的になる、請求項２に記載の装置。
【請求項４】  前記後頭固定部（１２）、前記前方固定部（１８）、前記付勢構造（２４）、および前記搭載部材（３２）は、呼吸マスクを人体の頭部に装着するための本質的に唯一の手段であり、前記装置はそれ以外では、装置を人体の頭部に固定するための他のいかなる手段も実質的に有さない、請求項２に記載の装置。
【請求項５】  前記搭載部材（３２）は、前記孔のまわりで密封するよう呼吸マスクを付勢可能である、請求項２に記載の装置。
【請求項６】  前記搭載部材（３２）に装着され、気体を呼吸マスクとの間で搬送するために前記呼吸マスクに接続可能である気体プレナム（４２）をさらに含む、請求項２に記載の装置。
【請求項７】  前記搭載部材に搭載される呼吸マスク（３４）をさらに含む、請求項２に記載の装置。
【請求項８】  前記呼吸マスク（３４）は人体の鼻を覆う、請求項７に記載の装置。
【請求項９】  前記マスク（３４）は、人体の鼻の対応する鼻孔に密封して嵌まるための１対の鼻孔チューブを含む、請求項７に記載の装置。
【請求項１０】  前記後頭固定部（１２）は、２から８ｃｍの範囲内の長さと、５から２０ｃｍの範囲内の幅とを有し、前記前方固定部（１８）は１から４ｃｍの範囲内の長さと、５から１１ｃｍの範囲内の幅とを有し、前記付勢構造（２４）は、７から３５ｃｍの範囲内の距離で前記後頭固定部と前記前方固定部との間で延在し、前記搭載部材（３２）は、１０から２５ｃｍの範囲内の距離で前記前方固定部と前記呼吸マスクとの間で延在する、請求項２に記載の装置。
【請求項１１】  前記付勢構造（２４）は、前記範囲内で調節可能である長さを有する、請求項１０に記載の装置。
【請求項１２】  使用時には、前記装置（１０）は３００から１５００グラムの範囲内で後頭固定部（１２）に垂直力を与えるよう適合される、請求項２に記載の装置。
【請求項１３】  使用時には、前記装置（１０）は３００から１２００グラムの範囲内で前方固定部（１８）に垂直力を与えるよう適合される、請求項２に記載の装置。
【請求項１４】  使用時には、前記装置（１０）は０から１０００グラムの範囲内で呼吸マスクに垂直力を与えるよう適合される、請求項２に記載の装置。
【請求項１５】  前記空気プレナム（４２）は、１００から５００ｍｍ2の範囲内の断面積を有する、請求項６に記載の装置。
【請求項１６】  人体の頭部の側面をまわって通過させるための、前記後頭固定部（１２）を前記搭載部材（３２）に接続するためのサイドストラップ（４８）をさらに含む、請求項２に記載の装置。
【請求項１７】  前記前方固定部は、前記呼吸器具からなる、請求項１に記載の装置。
【請求項１８】  前記器具が前記孔を覆って位置決めされている場合に人体の頭部に接触するための自在に撓むスリングをさらに含み、前記自在に撓むスリングの両端部は前記付勢構造の前方および後方部分に接続される、請求項１７に記載の装置。
【請求項１９】  前記マスク（３４）は人工呼吸マスクである、請求項７に記載の装置。
【請求項２０】  前記マスク（３４）は人体の鼻と口とを覆うよう適合される、請求項７に記載の装置。
【請求項２１】  前記サイドストラップ（４８）は、前記前方固定部（１８）を介して前記搭載部材（３２）に接続される、請求項１６に記載の装置。
【請求項２２】  ストラップを用いずに呼吸器具を人体の頭部における呼吸孔を覆って位置決めするための装置（１０）であって、前記装置は本質的に、
人体の後頭葉を中心として人体の頭部に対して嵌るよう適合される後頭固定部（１２）と、
人体の頭部における呼吸孔に近接して囲む前方固定位置で、人体の頭部の対応する部分に対して嵌るよう適合される前方固定部（１８）と、
前記前方固定部と前記後頭固定部とを接続する付勢構造（２４）とからなり、前記付勢構造は、後頭部よりも下で人体の頭部に対して後頭固定部を付勢させ、かつ人体の頭部の対応の部分に対して前方固定部を付勢させるよう適合され、それにより装置をストラップを必要とすることなく人体の頭部に装着させ、前記後頭固定部、前記前方固定部、および前記付勢構造は、人体の頭部の対称軸に実質的に沿って位置合わせされるよう適合され、さらに
前記器具が前記呼吸孔を覆って位置決めされるよう前記器具を搭載するために前記付勢構造に接続される搭載部材（３２）からなる、装置。
【請求項２３】  前記搭載部材（３２）は、人体の鼻、人体の口またはそれらの組合せからなる群から選択される少なくとも１つの顔面部位に存在する孔を覆う呼吸マスク（３４）を搭載するよう適合される、請求項２２に記載の装置。
【請求項２４】  前記搭載部材（３２）は、前記孔のまわりで密封するよう呼吸マスクを付勢するよう適合される、請求項２３に記載の装置。
【請求項２５】  前記搭載部材（３２）に搭載される呼吸マスク（３４）をさらに含む、請求項２３に記載の装置。
【請求項２６】  前記呼吸マスク（３４）は人体の鼻を覆うよう適合される、請求項２５に記載の装置。
【請求項２７】  前記前方固定部（１８）は、呼吸器具（３４）を含む、請求項２３に記載の装置。
【請求項２８】  自在に撓むスリング（５２）をさらに含み、前記自在に撓むスリング（５２）の両側の端部は前記付勢構造（２４）の前方および後方部分に接続され、前記器具が前記孔を覆って位置決めされている場合に人体の頭部に接触する、請求項２７に記載の装置。
【請求項２９】  前記呼吸マスク（３４）は人体の鼻と口とを覆うよう適合される、請求項２５に記載の装置。
【請求項３０】  持続性気道陽圧（ＣＰＡＰ）をマスク（３４）を介して人体に供給して、睡眠無呼吸を防ぐためのＣＰＡＰシステム（４８）と、睡眠中に人体の頭部における呼吸孔を覆ってマスクを定位置に保持するための装置（１０）との組合せにおいて、前記装置は、
人体の後頭葉を中心として人体の頭部に対して嵌るよう適合される後頭固定部（１２）と、
前記孔に近接して囲む人体の頭部の第１の部分と、人体の頭部の頂部部分から人体の頭部の額部分に位置する領域とからなる群から選択された前方固定位置で、人体の頭部の対応の部分に対して嵌るよう適合される前方固定部分（１８）と、
前記前方固定部および前記後頭固定部とを接続する付勢構造（２４）とを含み、前記付勢構造は、前記装置が人体の頭部に装着されるよう、前記後頭固定部を後頭葉の下方で人体の頭部に対して付勢させ、前記前方固定部を人体の頭部の対応の部分に対して付勢させるよう適合され、前記後頭固定部、前記前方固定部、および前記付勢構造は人体の頭部の対称軸に実質的に沿って位置合わせされるよう適合され、さらに、
前記器具が前記孔を覆って位置決めされるよう、前記器具を搭載するために前記付勢構造に接続される搭載部材（３２）を含む、組合せ。
【請求項３１】  前記マスク（３４）は、ＣＰＡＰが呼吸の間に呼息された気体をシステムから流すよう寸法決めされたベント（４６）をさらに含む、請求項３０に記載の組合せ。
【請求項３２】  前記後頭固定部（１２）、前記前方固定部（１８）、前記付勢構造（２４）および前記搭載部材（３２）は、睡眠中に人体の頭部における呼吸孔を覆って前記呼吸マスク（３４）を定位置に保持するための本質的に唯一の手段である、請求項３０に記載の組合せ。
【請求項３３】  前記装置（１０）は、前記後頭固定部（１２）を前方固定部（１８）に接続するためのサイドストラップ（４８）をさらに含む、請求項３０に記載の組合せ。